(57)【要約】【課題】  従来の１列車が複数の車輌で構成された車輌編成において、各車輌に搭載されている或る車輌情報制御装置が誤動作を起こすと、少なくとも誤動作した車輌情報制御装置は、ネットワークから切り離されてシステム全体に影響を及ぼすという問題点を解消することを目的とし、或る車輌の情報制御装置に異常が生じても、システム全体への影響を及ぼさないシステムを提供する。【解決手段】  情報制御装置の情報制御部をバイパスさせるバイパス回線切り替え手段を設け、情報制御部に異常が生じたとき、バイパス切り替え手段によって情報制御部をバイパスさせてリング状ネットワークから切り離す。【選択図】        図３
2006020117.tif 000002
【特許請求の範囲】
【請求項１】
複数の車輌によって編成された１列車に配備される列車搭載情報制御システムであって、
前記列車搭載情報制御システムには、前記複数の車輌毎にそれぞれ設けられた情報制御装置と、
前記情報制御装置間を伝送回線でつなぐリング状ネットワークとが設けられており、
さらに前記情報制御装置には情報制御部と、前記情報制御部をバイパスさせるバイパス回線切り替え手段が設けられており、
前記情報制御部に異常が生じたとき、前記バイパス回線切り替え手段によって、前記情報制御部をバイパスさせて前記リング状ネットワークから切り離すことを特徴とする列車搭載情報制御システム。
【請求項２】
複数の車輌によって編成された１列車に配備される列車搭載情報制御システムであって、  前記列車搭載情報制御システムには、前記複数の車輌毎にそれぞれ設けられ伝送回線でつながる第１、第２の情報制御装置が設けられているとともに、前記複数の車輌の前記第１、第２の情報制御装置間を伝送回線でつなぐリング状ネットワークが設けられており、  さらに前記情報制御装置には情報制御部と、前記情報制御部をバイパスさせるバイパス回線切り替え手段が設けられており、前記複数の車輌に搭載された前記第１、第２のいずれかの情報制御部に異常が生じたとき、前記バイパス回線切り替え手段によって前記情報制御部をバイパスさせて前記リング状ネットワークから切り離すことを特徴とする列車搭載情報制御システム。
【請求項３】
前記バイパス切り替え手段は、前記情報制御部を監視する監視部と、前記情報制御部の両端に設けられた切り替え部と、前記切り替え部につながるバイパス回線とによって構成されているとともに、前記監視部が前記情報制御部の異常を検知したとき、前記切り替え部を制御して前記バイパス回線をＯＮし、前記情報制御部をバイパスさせることを特徴とする請求項１または請求項２のいずれか１項に記載の列車搭載情報制御システム。
【請求項４】
前記情報制御部には情報処理を行うＣＰＵと、前記ＣＰＵにつながり情報の送受信を行う送受信部とが設けられており、
さらに前記送受信部には終端抵抗部と、受信波形を補正する受信波形補正部とが設けられており、
前記複数の車輌に搭載された情報制御装置の情報制御部のいずれかに異常が生じ、前記リング状ネットワークから切り離されたことを前記ＣＰＵが検知すると、
前記ＣＰＵの制御によって前記終端抵抗部は抵抗値を、前記受信波形補正部は受信波形の補正特性を変更することを特徴とする請求項１または請求項２のいずれか１項に記載の列車搭載情報制御システム。
【発明の詳細な説明】
【技術分野】
【０００１】
この発明は、列車に搭載される各種電機品を監視、制御、検査するために、各種情報を制御する列車搭載情報制御システムに関するものである。
【背景技術】
【０００２】
従来より、複数の車輌でもって構成された車輌編成が編成間伝送路連結器によって連結され、各車輌編成内に車輌情報制御装置と、前記制御装置にＬＡＮで接続された端末局と、この端末局につながる機器が設けられた例が示されている（例えば特許文献１参照）。
【０００３】
【特許文献１】特開平９−３０４２０号公報
【発明の開示】
【発明が解決しようとする課題】
【０００４】
しかしながら、前記特許文献１に示された従来技術では、ある車輌の情報制御装置が誤動作を起こすと、少なくとも誤動作した情報制御装置は、ネットワークが切り離されることになり、システム全体に影響を及ぼすという問題点がある。
【０００５】
この発明は、前記のような課題を解決するためになされたものであって、ある車輌の情報制御装置に異常が生じても、システム全体に影響を及ぼさない列車搭載制御システムを提供することにある。
【課題を解決するための手段】
【０００６】
この発明に係る列車搭載情報制御システムは、複数の車輌によって編成された１列車に配備される列車搭載情報制御システムであって、複数の車輌毎にそれぞれ設けられた情報制御装置と、
情報制御装置間を伝送回線でつなぐリング状ネットワークとが設けられており、
さらに情報制御装置には情報制御部と、情報制御部をバイパスさせるバイパス回線切り替え手段が設けられており、
情報制御部に異常が生じたとき、バイパス回線切り替え手段によって、情報制御部をバイパスさせてリング状ネットワークから切り離すものである。
【発明の効果】
【０００７】
この発明の列車搭載情報制御システムは、情報制御部をバイパスさせるバイパス回線切り替え手段が設けられ、ある情報制御部に異常が生じたとき、バイパス回線切り替え手段によって、情報制御部をバイパスさせて、リング状ネットワークから切り離すことができるので、システム全体に影響を与えることなく、伝送品質を確保することができる。
【発明を実施するための最良の形態】
【０００８】
実施の形態１．
以下、この発明の実施の形態１を図に基づいて説明する。
図１はこの実施の形態１における列車搭載情報制御システムの全体概略構成を示す図である。図１において、情報制御装置１０は、各車輌ここでは１号車〜ｎ号車のそれぞれに搭載され、停車駅情報や到着時刻等の列車運行情報、始発駅からの走行距離を示す列車位置情報、ドア開閉指令等の車載機器情報、空調機器サービス機器を制御する制御情報、ブレーキ指令情報等の列車情報の入出力処理を行うものである。
なお、前記車載機器としては、ドア、エアコン、ブレーキ、ＡＴＯ、自動放送、ＳＩＶ、モータ等が該当する。
そして、前記情報制御装置１０は、デジタル伝送回線１１を介して１車輌おきに相互に接続され、リング状ネットワーク１００を構成している。
【０００９】
図２に、隣接車輌間の接続状態を示す。前記図１では図示省略しているが、ジャンパ配線３２を用いて隣接車輌間を接続している。このジャンパ配線３２は、屋外に設置され、苛酷な機械的ストレスの繰り返しに耐え得ると共に、車輌間の電気的接続を行う機能を備え、規格化されたものである。しかしながら、このジャンパ配線３２は、伝送回線に使用される場合、インピーダンスに関して規定がなく、従って、図１に示したリング状ネットワーク１００のデジタル伝送回線１１とは、インピーダンス特性に相違があり、伝送される信号の減衰も大きい。この実施の形態１では後述するようにこのような課題に対しても対処可能としている。
【００１０】
図３に前記各車輌に搭載された情報制御装置１０の内部構成を示す。前記情報制御装置１０は、列車情報の入出力処理を行う情報制御部４０と、この情報制御部４０をＨ／Ｗロジックで監視する監視部４１と、前記監視部４１からの指令により、伝送回線を切り替える情報制御部４０の両端に設けられた切り替え部４２と、前記監視部４１が情報制御部４０の異常を検知したときに、情報制御部４０をバイパスするバイパス回線４３から構成されている。なお、前記監視部４１、切り替え部４２、バイパス回線４３でもってバイパス回線切り替え手段４５を構成している。図１、図３から判るように、情報制御装置１０の入出力は、隣接する車輌の情報制御装置１０にデジタル伝送回線１１を介して接続されリング状ネットワーク１００を構成している。
【００１１】
図４に前記情報制御部４０の内部構成を示す。
送受信部５０は、隣接車輌搭載の情報制御装置１０と列車情報の送受信を行う。通信Ｉ／Ｆ５２は車載機器との通信Ｉ／Ｆを行う。ＣＰＵ５１は情報処理を行い、記憶部５１ａおよび制御部５１ｂから構成されている。
情報制御部４０は、前記車載機器の機器状態データ（デジタルデータ）をパケット伝送する機能と、それらの状態データを基に必要な制御動作を行う機能を有している。
【００１２】
図５は、前記送受信部５０の内部構成を示す。
この送受信部５０は、終端抵抗部６０、伝送回線１１と内部回路を絶縁する絶縁部６１、コントローラ６５からの送信データを基に、送信波形を生成する送信部６２、伝送回線の特性に合わせて受信波形を補正する受信波形補正部６３、前記補正された波形を基に受信データを生成する受信部６４、生成された受信データを処理あるいは送信する送信データを生成するコントローラ６５から構成されている。
前記終端抵抗部６０および受信波形補正部６３は、それぞれネットワーク１００の構成に応じて変化する伝送回線の特性に合わせて、前記ＣＰＵ５１によって抵抗値および補正特性を変更可能とするものである。
【００１３】
次に動作について説明する。前述した図３において、監視部４１は情報制御部４０内のＣＰＵ５１が正常に動作しているか否かを監視している。ＣＰＵ５１の誤動作を監視部４１が検知するとＣＰＵ５１を再起動させ、この再起動回数が所定の回数に達すると切り替え部４２を制御して、バイパス回路４３をＯＮさせることにより、情報制御部４０をバイパスさせ、情報制御部４０をリング状ネットワーク１００から切り離す。
【００１４】
図６に例えば２号車の情報制御装置１０に何らかの原因によって異常が生じ、バイパス回線４３に切り替わった場合のリング状ネットワーク１００ａの構成を示す。
【００１５】
次に、前述した２号車の情報制御装置１０がリング状ネットワーク１００から切り離され、リング状ネットワーク１００ａとなった場合について説明する。
各車輌に搭載された情報制御装置１０は、それぞれが何号車に搭載されているかを示す号車情報を有しており、各情報制御装置１０同士で号車情報を送受信しているため、例えば前述の図６に示した２号車の情報制御装置１０が切り離されれば、すべての車輌に搭載されている情報制御装置１０は、その情報を検知することができる。
【００１６】
このような２号車の情報制御装置１０がリング状ネットワーク１００ａとなった状態においては、図６に示す範囲内の複数の車輌間のデジタル伝送回線１１は以下のようになる。
すなわち切り離される前には１号車と２号車の情報制御装置１０間の伝送路は、ジャンパ配線３２は１ヵ所、２号車と４号車のそれは２ヵ所を経由するリング状ネットワーク１００であるが、図６に示す切り離された状態では、１号車と４号車間はジャンパ配線３２は１号車と２号車、２号車と３号車、３号車と４号車間の計３ヵ所を経由して情報が伝送されることになる。前述したように伝送回線特性が車輌内のデジタル伝送回線１１とジャンパ配線３２とはインピーダンス特性に相違があることから、前記バイパス回線４３に切り替えることによる２号車の情報制御装置１０が切り離された状態では、伝送回線の特性が変化するため伝送品質が低下し、最悪の場合には伝送不可能となる可能性もある。
そこで１号車および４号車のＣＰＵ５１は、２号車の情報制御装置１０が切り離されたことを検知すると、伝送回線の特性変化に合わせて、その特性変化が所定値を越えたとき前述した図５の終端抵抗部６０の抵抗値および受信波形補正部６３の補正特性を変更して、伝送品質が低下することを防ぐ。
【００１７】
ここで、列車の編成パターンは限定されており、或る号車の情報制御装置１０がネットワークから切り離された場合のケースは容易に想定できるものであり、前記終端抵抗部６０の抵抗値や、受信波形補正部６３の補正特性は、予め測定することによって決めることができる。また、伝送回線の特性の変化に対応した適切な終端抵抗部６０の抵抗値や、受信波形補正部６３の補正特性をＣＰＵ５１により自動的に探すことも可能である。
【００１８】
なお、１列車内における各情報制御装置１０は図１に示したような１車輌おきに相互に接続されたリング状ネットワーク１００例を示したが、図７に示すように、２車輌連続に相互接続し、２車輌おきに相互接続したリング状ネットワーク１００であってもよい。
【００１９】
実施の形態２．
次に実施の形態２の列車搭載情報制御システムを説明する。
図８において、各車輌１号車〜ｎ号車に搭載された情報制御装置１０ｃは、後に詳述する図１０に示すように第１、第２の情報制御装置１０ａ、１０ｂより構成されている。各車輌上の情報制御装置１０ｃをつなぐデジタル伝送回線１１は、図９に示すように前記第１、第２の情報制御装置１０ａ、１０ｂ間をそれぞれつなぎ、リング状ネットワーク１００を構成している。
すなわち、例えば１号車の第１の情報制御装置１０ａは２号車の第１の情報制御装置１０ａにつながるとともに、１号車の第２の情報制御装置１０ｂは２号車の第２の情報制御装置１０ｂにつながっている。さらに、図９、図１０に示すように前記第１、第２の情報制御部１０ａ、１０ｂ間もデジタル伝送回線１１ａによって接続されている。
【００２０】
図１０に前記情報制御装置１０ｃの内部構成を示す。
図から判るように各第１、第２の情報制御装置１０ａ、１０ｂは実施の形態１の図３で示したものと情報制御部４０以外は同一の構成を有し、第１、第２の情報制御装置１０ａ、１０ｂに設けられた情報制御部４０ａ間は情報制御装置内デジタル伝送回線１１ａでつながれている。図１２にこの実施の形態２の情報制御部４０ａの内部構成を示しており、３つの送受信部５０を有している。
【００２１】
図１１に３号車の第１の情報制御装置１０ａが図９のリング状ネットワーク１００から切り離されてリング状ネットワーク１００ｂとなった状態を示す。
このような実施の形態２に示す列車搭載情報制御システムでは、各車輌に第１、第２の情報制御装置１０ａ、１０ｂを設けそれぞれを伝送回線１１で接続するリング状ネットワーク１００ｂを構成しているので、例えば或る車輌上の一方の情報制御装置に異常が生じたとしても残る他方の情報制御装置によって情報伝送が行えるので、より信頼性の向上した列車搭載情報制御システムとなるという効果を奏する。
【産業上の利用可能性】
【００２２】
この発明の実施の形態１、２は、列車搭載情報制御システムに利用できる。
【図面の簡単な説明】
【００２３】
【図１】この発明の実施の形態１の列車搭載情報制御システムの構成図である。
【図２】この発明の実施の形態１、２の車輌内伝送回線及びジャンパ配線を示す図である。
【図３】実施の形態１の情報制御装置の内部構成図である。
【図４】実施の形態１の情報制御部の内部構成図である。
【図５】実施の形態１の送受信部の内部構成図である。
【図６】この発明の実施の形態１において２号車の情報制御装置がネットワークから切り離された状態を示す図である。
【図７】この発明の実施の形態１の他の実施例を示す列車搭載制御システムの構成図である。
【図８】この発明の実施の形態２の列車搭載情報制御システムの構成図である。
【図９】この発明の実施の形態２の列車搭載情報制御システムの構成をより詳細に示す図である。
【図１０】この発明の実施の形態２の情報制御装置の内部構成図である。
【図１１】この発明の実施の形態２において３号車の一方の情報制御部がネットワークから切り離された状態を示す図である。
【図１２】この発明の実施の形態２の情報制御部の内部構成図である。
【符号の説明】
【００２４】
１０  情報制御装置、１０ａ  第１の情報制御装置、１０ｂ  第２の情報制御装置、
１１  デジタル伝送回線、４０，４０ａ  情報制御部、４１  監視部、
４２  切り替え部、４３  バイパス回線、４５  バイパス回線切り替え手段、
５１  ＣＰＵ、６０  終端抵抗部、６３  受信波形補正部、
１００，１００ａ，１００ｂ  リング状ネットワーク。
【図１】
2006020117.tif 000003
【図２】
2006020117.tif 000004
【図３】
2006020117.tif 000005
【図４】
2006020117.tif 000006
【図５】
2006020117.tif 000007
【図６】
2006020117.tif 000008
【図７】
2006020117.tif 000009
【図８】
2006020117.tif 000010
【図９】
2006020117.tif 000011
【図１０】
2006020117.tif 000012
【図１１】
2006020117.tif 000013
【図１２】
2006020117.tif 000014